(57)【要約】【課題】壁掛け機器の位置合せが容易で、地震や、人が不意に腕や手を引っ掛けた際に機器が外れることがなく、また、壁掛け機器を取外した際の家屋内の外観を損なうことがない壁掛け機器の固定構造を提供する。【解決手段】壁掛け機器３を着脱自在に保持する保持部１１を有するとともに、上下方向にスライドし得るように壁に設置されたスライド部品１と、壁掛け機器３を保持したスライド部品１を下方向へスライドさせたときに、この下方向への動きに連動して、壁掛け機器３を保持部１１との間に挟持固定する挟持体２と、を備える。【選択図】図１
2006128361.tif 000002
【特許請求の範囲】
【請求項１】
壁掛け機器を保持する保持部を有するとともに、上下方向にスライドし得るように壁に設置されたスライド部品と、
前記壁掛け機器を保持した前記スライド部品を下方向へスライドさせたときに、この下方向への動きに連動して、前記壁掛け機器を前記保持部との間に挟持固定する挟持体と、を備えた壁掛け機器の固定構造。
【請求項２】
前記挟持体は、前記壁掛け機器を前記スライド部品の保持部との間に挟持した状態で、前記スライド部品を上方向へスライドさせたときに、この動きに連動して、前記壁掛け機器の挟持状態を解除する請求項１に記載の壁掛け機器の固定構造。
【請求項３】
前記壁には、開口部が設けられ、
前記挟持体は、前記壁の内側に設けられた回動軸を中心として回動自在に軸支されるとともに、前記壁の内側に収納保持された第一回動位置と、前記開口部から前記壁の外側に引き出された状態で、前記壁掛け機器を前記スライド部品の保持部との間に挟持固定する第二回動位置と、を有する請求項１又は請求項２に記載の壁掛け機器の固定構造。
【請求項４】
前記スライド部品は、そのスライドに伴って同方向に移動するラックギア部を備え、
前記挟持体は、前記ラックギア部と咬合するとともに、この挟持体の回動軸と略同一の軸を有するピニオンギア部を備え、
前記スライド部品を移動させることによって、前記ラックギア部と前記ピニオンギア部とを咬合させて、前記挟持体の回動状態を、少なくとも前記第一回動位置と前記第二回動位置との間で、自在に調節し得るようにした請求項３に記載の壁掛け機器の固定構造。
【請求項５】
前記開口部は、前記第一回動位置では前記スライド部品によって塞がれ、前記第二回動位置では前記挟持体によって塞がれるようにした請求項１から請求項４のいずれか一項に記載の壁掛け機器の固定構造。
【請求項６】
前記挟持体には、前記壁掛け機器に電力を供給可能な電力供給機構が設けられている請求項１から請求項５のいずれか一項に記載の壁掛け機器の固定構造。
【発明の詳細な説明】
【技術分野】
【０００１】
本発明は、家屋内の壁面に壁掛けテレビ、電話機などの小型機器や、そのリモコン等を着脱可能に取り付ける壁掛け機器の固定構造に関するものである。
【背景技術】
【０００２】
従来、小型のテレビや電話機、そのリモコン等を屋内の壁面に取り付けて使用したり、使用時以外は壁面に格納したりすることが一般的に行われている。これらは着脱自在に壁に取り付けられるが、この取付構造として様々なものが考案されている。
【０００３】
例えば、図１２（ａ）、（ｂ）に示すように、家屋の壁６に釘や木ねじ１６等を打ち込み、壁掛け機器１８側に用意した引っ掛け穴部１７に前記木ねじ１６を挿入し、降ろすことによって、木ねじ１６の頭部が引っ掛け穴部１７の狭まった狭部１７ａよりも大きいために引っ掛かり、脱落しないというダルマ穴構造が知られている。
【０００４】
また、図１３に示すように、家屋の壁にガイドレール２０を木ねじ１６や釘で固定しておき、壁掛け機器１８側には、前記ガイドレール２０が挿入される引っ掛け溝部１９を設けて、その両者を嵌め合わせて壁掛け機器１８を壁面に取り付ける構造も実用化されている。
【０００５】
また、成形品等で、小型機器やそのリモコン等の下部を包み込むような形の窪みなどの収納構造を作り、前記収納構造を有する収納体を家屋の壁に木ねじや釘で固定し、その収納体の収納構造内に小型機器を置くだけで簡単に壁面に設置、取り出しができるようにして機器の着脱の煩雑さが改善されるようにしたものも考案されている（例えば、特許文献１を参照）。
【特許文献１】特開２００３−１７９６７５号公報
【発明の開示】
【発明が解決しようとする課題】
【０００６】
上述のダルマ穴構造を用いた従来技術によれば、家屋の壁に釘や木ねじを打ち込み、壁掛け機器の引っ掛け穴部に木ねじを挿入し、降ろすことによって、木ねじの頭部が引っ掛け穴部の狭部に引っ掛かり脱落しないという構造であるため、壁掛け機器は木ねじの部分でしか固定されておらず、木ねじが一つのときは左右方向に力がかかった場合に機器が揺れてしまうので壁に取り付けた状態で機器を操作するには不向きである。また、地震等の縦揺れのように上下方向の揺れや、人が不意に腕や手を引っ掛けた際には機器が外れて落下するなどして破損したり、周囲の人や物に危害を加えたりする恐れもある。さらに、取り付けの際には壁に付けた突起が、本体の背面に隠れて視認できなくなってしまうため、木ねじと引っ掛け穴部の位置合わせが難しく、頻繁な取り付け取外しには向いていない。
【０００７】
また、家屋の壁にガイドレールを固定し、壁掛け機器側に引っ掛け溝部を設け、その両者を嵌合させて壁掛け機器を壁面に取り付ける構造では、機器をガタつかないように固定しようとすると、突起と溝とのクリアランスを可能な限り小さくする必要があり、そのようにすると、機器の取り付けの際に微妙な位置合わせが必要となってしまい取り付けが難しくなるといった問題が生じるので、突起と溝とのクリアランスの設計が容易でない。
【０００８】
さらに、壁にレール状の突起を取り付けておくので、壁掛け機器取り外し時に人が不意に腕や手を引っ掛けた際にはガイドレールの端部等で怪我をするといった安全性の問題や、壁にガイドレールが残された外観となるので家屋内の美観を損なうといった問題もある。
【０００９】
また、特許文献１に記載された手段によれば、成形品等で小型機器の下部を包み込むような形の収納構造を作り、そこに小型機器を置くという構造であるので、小型機器の上下方向の固定が不安定であるので、地震等の際に落下等の危険がある。また、収納構造部分が小型機器よりも大きいものとなってしまい、壁面からの張り出しが増加してしまうので、小型機器を取外した際に、壁の美観が著しく損なわれ、人が手や腕などをぶつけてしまう危険性もある。また、このような載置型の収納構造では載置による接触によって機器への充電等の電力供給を行うようにした場合、機器が無い状態では電極が露出した状態となるので感電や漏電等の原因となる。
【００１０】
上述の問題に鑑み、本発明は、壁掛け機器の位置合せが容易で、地震や人が不意に腕や手を引っ掛けた際に機器が外れることがなく、また、壁掛け機器を取外した際の家屋内の外観を損なうことがない壁掛け機器の固定構造を提供することを目的とする。
【課題を解決するための手段】
【００１１】
本発明の壁掛け機器の固定構造は、壁掛け機器を保持する保持部を有するとともに、上下方向にスライドし得るように壁に設置されたスライド部品と、前記壁掛け機器を保持した前記スライド部品を下方向へスライドさせたときに、この下方向への動きに連動して、前記壁掛け機器を前記保持部との間に挟持固定する挟持体と、を備えるものである。
【００１２】
そして、前記挟持体は、前記壁掛け機器を前記スライド部品の保持部との間に挟持した状態で、前記スライド部品を上方向へスライドさせたときに、この動きに連動して、前記壁掛け機器の挟持状態を解除するようにすることが望ましい。
【００１３】
さらに、前記壁には、開口部が設けられ、前記挟持体は、前記壁の内側に設けられた回動軸を中心として回動自在に軸支されるとともに、前記壁の内側に収納保持された第一回動位置と、前記開口部から前記壁の外側に引き出され、前記壁掛け機器を前記スライド部品の保持部との間に挟持固定する第二回動位置と、を有するようにすることが望ましい。
【００１４】
このとき、前記スライド部品は、そのスライドに伴って同方向に移動するラックギア部を備え、前記挟持体は、前記ラックギア部と咬合するとともに、この挟持体の回動軸と略同一の軸を有するピニオンギア部を備え、前記スライド部品を移動させることによって、前記ラックギア部と前記ピニオンギア部とを咬合させて、前記挟持体の回動状態を、少なくとも前記第一回動位置と前記第二回動位置との間で、自在に調節し得るようにすることが望ましい。
【００１５】
さらに、前記開口部は、前記第一回動位置では前記スライド部品によって塞がれ、前記第二回動位置では前記挟持体によって塞がれるようにすることが望ましい。
【００１６】
また、前記挟持体には、前記壁掛け機器に電力を供給可能な電力供給機構が設けられていることが望ましい。
【発明の効果】
【００１７】
以上のとおり、本発明の壁掛け機器の固定構造は、壁掛け機器を保持する保持部を有するとともに、上下方向にスライドし得るように壁に設置されたスライド部品と、前記壁掛け機器を保持した前記スライド部品を下方向へスライドさせたときに、この下方向への動きに連動して、前記壁掛け機器を前記保持部との間に挟持固定する挟持体と、を備えているので、壁掛け機器をスライド部品の保持部に引っ掛けて押し下げたり、持ち上げたりすることによって、簡単に壁掛け機器の着脱を行うことができ、その固定も確実となる。そのため、壁掛け機器を壁に取り付けた状態でも操作ボタンの操作等を確実に行える。
【００１８】
また、前記挟持体は、前記壁掛け機器を前記スライド部品の保持部との間に挟持した状態で、前記スライド部品を上方向へスライドさせたときに、この動きに連動して、前記壁掛け機器の挟持状態を解除する構成とすれば、取り付けた壁掛け機器を上方向へ持ち上げれば、挟持状態が解除され、スライド部品の保持部からこの壁掛け機器を簡単に取り外すことができる。
【００１９】
さらに、前記壁には、開口部が設けられ、前記挟持体は、前記壁の内側に設けられた回動軸を中心として回動自在に軸支されるとともに、前記壁の内側に収納保持された第一回動位置と、前記開口部から前記壁の外側に引き出され、前記壁掛け機器を前記スライド部品の保持部との間に挟持固定する第二回動位置と、を有するようにすれば、壁掛け機器が取り付けられるまでは、挟持体が壁内に収納された第一回動位置であり、外部に張り出した機構部等が通行人等に引っかかる危険性を減少させ、安全性が向上する。さらに、挟持体を回動させる簡単な機構で、壁掛け機器の着脱保持が行えるので、繰り返し耐久性にも優れる。
【００２０】
また、前記スライド部品は、そのスライドに伴って同方向に移動するラックギア部を備え、前記挟持体は、前記ラックギア部と咬合するとともに、この挟持体の回動軸と略同一の軸を有するピニオンギア部を備え、前記スライド部品を移動させることによって、前記ラックギア部と前記ピニオンギア部とを咬合させて、前記挟持体の回動状態を、少なくとも前記第一回動位置と前記第二回動位置との間で、自在に調節し得るようにすれば、スライド部品の上下方向の動きを挟持体の回動の動きと連動させることが容易となり、簡単で確実な動作を期待できる。
【００２１】
前記開口部は、前記第一回動位置では前記スライド部品によって塞がれ、前記第二回動位置では前記挟持体によって塞がれるようにすれば、壁掛け機器を取り外した第一回動位置では、スライド部品が固定構造の内部機構を隠し、壁掛け機器を取り付けた第二回動位置では、挟持体が固定構造の内部機構を隠すので、壁の開口部や、壁内部の機構部が目立たず、家屋内の美観を損なわない。
【００２２】
前記挟持体には、前記壁掛け機器に電力を供給可能な電力供給機構を設けるようにすれば、壁掛け機器を取り付けた状態で機器に電力を供給でき、これによって、壁掛け機器を動作させたり、壁掛け機器の充電池に充電したりすることができる。さらに、挟持体を壁の内部に収納可能な構成と組み合わせれば、壁掛け機器を取り外したときには、電力供給機構が挟持体とともに壁の内部に収納されるので、感電等の危険を減らすことができる。
【発明を実施するための最良の形態】
【００２３】
以下、本発明について図面に基づいて詳細に説明する。まず、本発明の壁掛け機器の固定構造の基本構造とその動作について説明し、その後、各部分に関して詳細に説明する。
【００２４】
図１は、本発明の壁掛け機器の固定構造の一例を横側から見たときの模式的な構造図である。壁掛け機器３の上部には引っ掛け固定用の窪みである上側溝部３６が、同様に下部には下側溝部３４が設けられている。固定構造Ｓは、壁掛け機器３の下側溝部３４に嵌合して壁掛け機器３を保持する保持部１１を有するスライド部品１と、壁掛け機器３の上側溝部３６に嵌合して壁掛け機器３を固定する爪部２１を有する挟持体２と、を備えている。
【００２５】
スライド部品１は、壁６に対して、上下方向にスライドし得るように設置されており、壁６に設けられた開口部６ａを挟んで、壁６の外側（図の左方向）に保持部１１が位置し、壁６の内側（図の右方向）にラックギア部１２が位置する。したがって、このスライド部品を上下方向にスライドさせれば、ラックギア部１２も同方向に移動する。
【００２６】
挟持体２は、壁６の内側に設けられた回動軸である軸部２４に回動自在に軸支されている。さらに、この挟持体２にはこの軸部２４とほぼ同一の軸を有するピニオンギア部２７が設けられている。このピニオンギア部２７は、スライド部品１のラックギア部１２と咬合し得る位置に設定されている。
【００２７】
これらの各部材の動作について、図６〜図９を参照しながら説明する。これらの図は、図１に示した本発明の壁掛け機器の固定構造に係るスライド部品１を下方に押し下げたときの挟持体２の動作を示す模式図である。
【００２８】
まず、挟持体２が壁６の内側に収納保持された状態（図１）から、壁掛け機器３をスライド部品１の保持部１１に保持して（図６参照）、スライド部品１を下方向にスライドさせれば、やがて挟持体２のピニオンギア部２７とスライド部品１のラックギア部１２とを咬合させた状態となる（図７参照）。そして、スライド部品１の下方向への動きと連動して、挟持体２はその回動軸である軸部２４を中心に反時計回り（本図の方向から見て）に回動し、爪部２１が壁６の開口部６ａから外部に引き出される（図８参照）。さらにスライド部品１を下降させれば、爪部２１が壁掛け機器３の上側溝部３６に嵌まり込み、壁掛け機器３は、保持部１１と挟持体２との間で挟持固定される（図９参照）。
【００２９】
逆に、壁掛け機器３をスライド部品１の保持部１１との間に挟持した状態（図９）で、スライド部品１を上方向へスライドさせれば、スライド部品１のラックギア部１２が挟持体２のピニオンギア部２７を時計回り（本図の方向から見て）に回動させるので、このスライド部品１の上方向への動きに連動して、壁掛け機器３の挟持状態が解除される。
【００３０】
このように本発明の構成によれば、壁掛け機器３をスライド部品１の保持部１１に引っ掛けて押し下げたり、持ち上げたりすることによって、簡単に壁掛け機器３の着脱を行うことができ、その固定も確実となる。そのため、壁掛け機器３を壁に取り付けた状態でも操作ボタンの操作等を確実に行える。
【００３１】
次に、本発明の壁掛け機器の固定構造のより好ましい態様について、上述した図１、図６〜図９に加えて、図２、図３を用いてさらに詳細に説明する。図２は、本発明の壁掛け機器の固定構造に対して壁掛け機器３を取り付ける様子を模式的に示す斜視図であり、図３は、本発明に係る壁掛け機器の固定構造を上部から見た部分的な断面構造を示す構造図である。
【００３２】
スライド部品１は、壁掛け機器３の下側を保持する保持部１１と、壁６に開けられた開口部６ａを塞ぐ蓋であるカバー部１５と、スライド部品１の壁６の内部側のラックギア部１２とを備えて構成され、壁６の壁面に平行して上下に移動可能な状態で壁６に取り付けられている。スライド部品１を上下方向に移動可能とする方法としては、図３に例示されるように、壁６若しくは壁に嵌め込んだガイドレール等に二つの溝部６１ａ、６１ｂを設け、ここにスライド部品１の両側端を嵌め込む。溝部６１ａ、６１ｂの幅をこのスライド部品１の両側端の幅よりもわずかに大きくしておけば、スライド部品１を上下方向にスライドさせることが可能となる。
【００３３】
さらに、スライド部品１が自重で下降しないようにするため、図６に示すように、スライド部品１に突起部１５１を設け、例えば、壁６の裏側に取り付けられたバネ板などの固定機構５にこの突起部１５１と対応した凹部を設け、これらを嵌合させるようにすると良い。或いは、スライド部品１を適度な伸縮性を有するバネやゴムなどの弾性部材で図１や図６に示すスライド開始位置に引き戻すように付勢しても良い。この場合、弾性部材によって付勢する力を、スライド部品１の自重による力よりも大きくしてやれば、スライド部品１が自重で下降することを回避できる。なお、弾性部材によって付勢する力は、スライド部品１に壁掛け機器３を保持したときの重量による力よりも小さくすることが望ましい。壁掛け機器３を保持した状態でスライド部品１が上昇してしまう恐れがあるからである。上述した方法の他、マグネットなどの固定手段によってスライド部品１が下降しないようにしても良い。
【００３４】
挟持体２は、壁掛け機器３を上方からスライド部品１の保持部１１との間に挟持固定する爪部２１と、壁６の内部に固定されている軸部２４を中心として回動するピニオンギア部２７と、壁６の開口部６ａを塞ぐ化粧板２５とを含んで構成されている。この挟持体２は、軸部２４に対して軸支されているが、この軸部２４の水平方向の位置は、ピニオンギア部２７の歯がスライド部品１のラックギア部１２の歯と咬合し得る位置とする。また、垂直方向の位置については、この挟持体２がスライド部品１の動きと連動して、軸部２４を中心に回動し、壁掛け機器３がスライド部品１の保持部１１との間に挟持固定されるような位置とする。この位置の求め方の詳細については後述する。
【００３５】
また、挟持体２を回動させる範囲としては、図１に示すように、壁６の内側に収納保持された位置（第一回動位置）と、図９に示すように、壁６の開口部６ａから壁６の外側に引き出された状態で、壁掛け機器３をスライド部品１の保持部１１との間に挟持固定する位置（第二回動位置）とを含むようにすれば良い。この範囲を超えて回動できるようにしても構わないが、次に示すように第一回動位置と第二回動位置を、回動動作の始点と終点とすれば、挟持体２が必要以上に回動して、壁掛け機器３に余計な力がかかることを避けられる。
【００３６】
第一回動位置を回動の始点若しくは終点とする方法の一例について、図１に示す。この例では、挟持体２を、軸部２４を支点として化粧板２５側が爪部２１よりも重量バランスが重くなるようにしている。したがって、挟持体２のピニオンギア部２７がスライド部品１のラックギア部１２と咬合せず自由な状態のときは、化粧板２５側が下降する。このとき、壁６の内部に設けられたストッパー４に対して挟持体２が当接し、これ以上は回動しないようになっている。また、ストッパー４を設ける代わりに、軸部２４自体に回転止めのストッパーを設けて一定以上戻らないようにしても良い。さらに、重量のバランスによって、挟持体２を第一回動位置に戻してやる代わりに、ゴムやバネなどの弾性手段によって付勢したり、マグネットによる引力や斥力を利用したりして、挟持体２を第一回動位置に戻すようにしても良い。
【００３７】
なお、図１に示すように、スライド部品１のラックギア部１２と挟持体２のピニオンギア部２７との咬合がいったん解除される場合には、ピニオンギア部２７とラックギア部１２とが常に同じ咬合開始点２３となるように、挟持体２の回動位置を規定することが望ましい。このように挟持体２を第一回動位置で規制すれば、ピニオンギア部２７の回動位置も規定される。これに対して、ラックギア部１２が咬合する位置を規定するようにすればよいので、調整や設計が容易となる。
【００３８】
ところで、本明細書において第一回動位置は、挟持体２が壁６の内側に収納保持された状態と規定されているが、ここで言う「収納保持」とは、挟持体２の主要部が壁６の内側の規定された位置に収まるようになっていることを意味し、完全に挟持体２の全体が壁６の内側に存在していなければならないという意味ではない。
【００３９】
次に、第二回動位置を回動の始点若しくは終点とする方法の一例について、図９に示す。この例では、挟持体２が爪部２１と保持部１１との間に壁掛け機器３を挟持したときに、挟持体２の機器固定面２２が略水平になり、壁掛け機器３の固定面３１と当接し、これ以上は回動しないようにしている。なお図に示すように、挟持体２の化粧板２５の先端に設けられた回転止め部２８が壁６に突き当たるようにしても良い。あるいは、軸部２４自体に回転止めのストッパーを設けて一定以上回動しないようにしても良い。
【００４０】
以上説明したように、スライド部品１を移動させることによって、ラックギア部１２とピニオンギア部２７とを咬合させて、挟持体２の回動状態を、少なくとも第一回動位置と第二回動位置との間で、自在に調節し得るようにしているので、スライド部品１の上下方向の動きを挟持体２の回動の動きと容易に連動させることができ、簡単で確実な動作を期待できる。
【００４１】
また、壁６に設けられた開口部６ａについては、そのままでは内部の機構が見えた状態になり、美観上好ましくないので、第一回動位置ではスライド部品１によってこの開口部６ａを塞ぐようにし、第二回動位置では挟持体２によって塞ぐようにすることが望ましい。例えば、図２（ａ）に示すように、スライド部品１は壁掛け機器３が取り付けられていない第一回動位置のときに、スライド部品１に設けられたカバー部１５によって、壁６に設けた開口部６ａを塞ぐようにする。また、図２（ｂ）に示すように、スライド部品１が下方に移動し、挟持体２が第二回動位置となったときに、挟持体２に設けられた化粧板２５によって、壁６の開口部６ａを塞ぐようにする。このようなスライド部品１のカバー部１５や、挟持体２の化粧板２５は、壁６の開口部６ａを、壁面外装を兼ねて塞ぐようにするため、周囲の壁６と調和の取れた色彩・模様としておくと良い。
【００４２】
以上、説明したスライド部品１や挟持体２などの固定構造の構成部品は、鉄やステンレス、アルミニウム等の金属材料や、ＡＢＳやポリカーボネイト等の樹脂材料を用いることができる。支持する対象である壁掛け機器の重量等に耐え得る材料を用いれば良い。
【００４３】
次に壁掛け機器３を壁に取り付け固定する動作について、一連の動作を図６から図９をもとに説明する。
【００４４】
最初の状態では、図６に示すように、スライド部品１に設けられた突起部１５１は、壁６の裏側に取り付けられたバネ板などの固定機構５設けられた凹部と嵌合した状態となっている。また、挟持体２は壁６の内部に設けられたストッパー４に対して当接した第一回動位置に収納保持されている。ここで、図に示すようにスライド部品１の保持部１１に壁掛け機器３の下側溝部３４を嵌合させ、壁掛け機器３を下に押し下げると、スライド部品１の突起部１５１が固定機構５より外れ、スライド部品１が下降する。
【００４５】
やがて図７に示すように、スライド部品１のラックギア部１２の咬合開始点１４が、挟持体２のピニオンギア部２７の咬合開始点２３と咬み合いをはじめ、挟持体２が軸部２４を支点にして反時計回り（図において）に回動を開始する。
【００４６】
さらにスライド部品１の下降によって挟持体２の回動が進むと、図８に示すように、挟持体２の爪部２１は、スライド部品１が下にスライドして壁６に開き始めた開口部６ａから外側に引き出される。このとき爪部２１が壁掛け機器３の上側溝部３６に近づくに連れ、壁掛け機器３が下に移動する速さより爪部２１が降下してくる速度の垂直成分の方が大きくなる。
【００４７】
そして図９に示すように、挟持体２の化粧板２５の先端に設けられた回転止め部２８が壁６にぶつかり、爪部２１が壁掛け機器３の上側溝部３６に嵌合され、スライド部品１の保持部１１との間に挟持され、壁掛け機器３が壁面に固定される。ここで図２（ｂ）に示すように、スライド部品１が下方に移動することで壁に開いていた開口部６ａが、挟持体２の化粧板２５が機器を固定するとともに壁面外装を兼ねて塞がれる。
【００４８】
なお、壁掛け機器３が固定された状態においても、スライド部品１に作用した壁掛け機器３の自重により、ラックギア部１２を通して挟持体２のピニオンギア部２７にもモーメントが作用する。よって、爪部２１と保持部１１間には相対的に機器を上下から締め付ける方向に力が作用するようになり、壁掛け機器３が容易には脱落しない。このように壁掛け機器３を押し下げるという簡単な動作で、確実な壁面への取り付けが可能となる。
【００４９】
なお、壁掛け機器３を取り外す際は、壁掛け機器３を、上方に移動させると、壁掛け機器３の固定面３１が挟持体２の爪部２１を押し上げるか、若しくはスライド部品１の保持部１１を手で押し上げることによって挟持体２が時計回りの方向に回動する。そしてこの動きに連動して、爪部２１が上方に移動するが、垂直方向の移動速度の差により、スライド部品１の少しの上昇で爪部２１と保持部１１間の距離は大きく広がる。したがって、爪部２１が上側溝部３６から外れたら先に壁掛け機器３を外してスライド部品１を上昇させてもよい。
【００５０】
上述の本発明の壁掛け機器の固定構造を設計する方法について、図４を用いて、より詳細に説明する。
【００５１】
固定構造Ｓによる壁掛け機器３の固定は、スライド部品１の保持部１１と挟持体２の爪部２１間の距離が、壁掛け機器３の距離Ｌと等しくなったときに完了する。そのためには、スライド部品１の保持部１１からラックギア部１２の咬合開始点１４までの距離Ａと、挟持体２のピニオンギア部２７とスライド部品１のラックギア部１２が咬合して回動する時のスライド部品１の降下距離Ｂと、挟持体２の軸部２４の中心から爪部２１の機器固定面２２までのオフセット距離Ｃとの間に、Ｌ＝Ａ＋Ｂ−Ｃの関係が成り立つ。ここで距離Ｂはピニオンギア部２７の咬み合い半径Ｒと回動角度θより、Ｂ＝Ｒ・θで計算される（θの単位はラジアン）。このとき、挟持体２は爪部２１と保持部１１間距離がＬと等しくなるときに機器固定面２２が略水平になり、壁掛け機器３の固定面３１と合わさるように回動角度を調整しておく。
【００５２】
また、挟持体２の爪部２１の引っ掛け面２６が壁掛け機器３の爪受け面３３に合わさるためには、軸部２４の中心から引っ掛け面２６までの距離Ｄと、軸部２４の中心から壁６の表面までの距離Ｅと、壁掛け機器３の爪受け面３３から壁までの距離Ｆとの間が、Ｄ＝Ｅ＋Ｆの関係になるようにする。
【００５３】
また、取り付け動作中に上側の爪部２１が、壁掛け機器３に干渉せずに固定動作を行うには、機器固定面２２が軸部２４より下にオフセットされており、Ｃ＞０の関係となるようにする。
【００５４】
さらに、挟持体２が、壁６内より外側に出るためには、挟持体２の軸中心外接半径Ｍが軸中心から壁切り欠き上端までの距離Ｎより小さいので、Ｍ＜Ｎの関係となるようにする。本発明の壁掛け機器の固定構造を実現するには、上述の寸法関係を満足させるようにすれば良い。
【００５５】
一方、壁掛け機器３の取り外し時は、ある程度、スライド部品１を上方に移動させて爪部２１と保持部１１間の距離が、Ｌ＋Ｐ＋Ｑの距離よりも大きくなれば壁掛け機器３を固定構造Ｓから外すことができる。ただしこの状態ではまだ壁６の開口部６ａをスライド部品１のカバー部１５が塞ぎきっていないので、壁掛け機器３とスライド部品１の１１部の嵌合を外さないまま、さらに押し上げ移動させるか、若しくはスライド部品１を手で押し上げることにより、まず、挟持体２の爪部２１が壁６の内側に収納され、さらに上方に移動させていくと、ラックギア部１２の歯車と挟持体２のピニオンギア部２７の咬み合いが終わり、その後、挟持体２はフリーな状態となってストッパー４により第一回動位置に位置決めされる。この位置は先にも説明したように次にスライド部品１を押し下げたとき、いつも同じ位置でラックギア部１２の咬合開始点と咬み合いを行うことができる位置である。
【００５６】
本例では図５に示したように、ラックギア部１２とピニオンギア部２７との咬み合いを挟持体２のピニオンギア部２７の咬合開始点２３とスライド部品のラックギア部１２の咬合開始点１４から開始できるようにするために、ピニオンギア部２７の一部を切り欠いた形状として示しているが、これは回動によりスライド部品が降下する距離Ｂを簡単に計算するためであり、必ずしもこのようにする必要はなく、咬み合いが途中から始まっても同機構は実施できる。
【００５７】
以上、上述にしたがって各部品を構成することにより、例えば図１０（ａ）に示すように爪部２１と保持部１１間の距離が小さい小型の壁掛け機器３ａや、図１０（ｂ）のように爪部２１と保持部１１間距離が大きい大型の壁掛け機器３ｂ用の固定構造Ｓの設計もスライド部品１のカバー部１５の長さ変更だけで容易に対応可能である。
【００５８】
以上、詳述したように、取り付け固定は壁掛け機器を引っ掛けて降ろし、取り外しも壁掛け機器を上に押し上げるだけであり簡単に着脱が可能である。
【００５９】
挟持体２には、壁掛け機器３に電力を供給可能な電力供給機構を設けるようにすることが望ましい。例えば、図１に示すように、挟持体２に対して、電力供給機構として爪部２１の先端に、図示しない直流電源部、或いは交流を直流に変換するＡＣ／ＤＣインバータなどから配線した電極部２９を設けるようにし、壁掛け機器３の対応する位置、即ち、上側溝部３６側にも受電部３２を設けておけば、壁掛け機器３を固定したときに両者か接触するので、壁掛け機器３を設置したときに、壁６内に埋設した電源から電極部２９を介して壁掛け機器３に電力を供給することが可能となる。電極部２９や受電部３２にはりん青銅や銅金属、アルミニウム金属やＳＵＳ、真鍮などの導電性金属や、爪部２１の表層部を電気メッキ若しくは無電解メッキなどのメッキ層にした導電材と成したものでもよい。さらに、電極部２９の代わりに、電磁誘導方式によって電力を供給するようにしても構わない。
【００６０】
このように、挟持体２に電力供給機構を設けることによって、壁掛け機器３を動作させたり、壁掛け機器３の充電池に充電したりすることができる。さらに、挟持体２を壁６の内部に収納可能な構成と組み合わせれば、壁掛け機器３を取り外したときには、電力供給機構が挟持体２とともに壁６の内部に収納されるので、感電等の危険を減らすことができる。また、挟持体２の爪部２１の構造について、その形状を共通化すれば他の機器の充電場所として兼用させることも可能である。
【００６１】
なお、本発明は上記実施形態例に限定されるものではなく、本発明の要旨を逸脱しない範囲内で種々の変更や改良等は何ら差し支えない。
【００６２】
例えば、スライド部品の保持部によって、壁掛け機器３の下部を保持するようにしたが、これに限るものではなく、壁掛け機器の上側溝部と下側溝部の双方若しくは少なくともいずれか一方を機器の背面や側面に設けるようにしても良い。例えば、図１１に示すように、壁掛け機器３ｃの背面側に上側溝部３６ｂ、下側溝部３４ｂを設け、スライド部品１の保持部１１と挟持体２の爪部２１との間で、挟持固定すれば、壁面固定時において挟持体２の爪部２１を機器の背面に隠してしまうことも可能であり、さらに外観を良くすることができる。また爪部２１が外へ出るための開口部６ａが壁掛け機器３ｃの背面に隠されるようにすれば、化粧板２５が不要とすることもでき、構造をさらに簡単にできる。
【００６３】
また、本例においては、スライド部品１の保持部１１を一本のレール上に設けた例によって説明したが、これに限るものではなく、２〜３箇所の分割された保持部として壁からの突出量を少なくしても良い。さらに、壁掛け機器の取り付け時以外は保持部が壁側に折りたためるようにして、壁からの張り出しを少なくする形態としても良い。
【００６４】
また、上述に説明した回動構造の代わりに、リニアエンコーダ等によってスライド部品の位置や移動距離を検出し、その信号に基づいて、スライド部品の下方向への動きに連動させて、リニアモータやサーボモータ等によって、挟持体の位置を真っ直ぐ若しくは回動させて変位させることによって、壁掛け機器をスライド部品の保持部と挟持体との間に挟持固定するようにしても構わない。
【図面の簡単な説明】
【００６５】
【図１】本発明の壁掛け機器の固定構造の一例を横側から見たときの模式的な構造図である。
【図２】（ａ）、（ｂ）は本発明の壁掛け機器の固定構造に対して、壁掛け機器を取り付ける様子を模式的に示す斜視図である。
【図３】本発明の壁掛け機器の固定構造の構造を上部から見た部分断面図である。
【図４】本発明の壁掛け機器の固定構造の各部の位置関係を説明する模式的な構造図である。
【図５】本発明に係るスライド部品と挟持体との咬合構造を説明する模式的な構造図である。
【図６】本発明に係るスライド部品が壁掛け機器によって動かされる前の状態を示す模式的な構造図ある。
【図７】本発明に係るスライド部品が壁掛け機器によって下方へ移動開始した状態を示す模式的な構造図である。
【図８】本発明に係るスライド部品が挟持体を回動させる様子を示す模式的な構造図である。
【図９】本発明の壁掛け機器の固定構造によって壁掛け機器が固定された状態を示す模式的な構造図である。
【図１０】（ａ）、（ｂ）は本発明の壁掛け機器の固定構造に関し、長さの異なる壁掛け機器を固定したときの模式的な構造図である。
【図１１】本発明の壁掛け機器の固定構造の他の実施形態を横側から見たときの模式的な構造図である。
【図１２】（ａ）、（ｂ）は、従来の木ねじを用いた壁掛け機器の固定構造を模式的に示す斜視図である。
【図１３】従来のガイドレールを用いた壁掛け機器の固定構造を模式的に示す斜視図である。
【符号の説明】
【００６６】
１：スライド部品
１１：保持部
１２：ラックギア部
１４：咬合開始点
１５：カバー部
１５１：突起部
２：挟持体
２１：爪部
２２：機器固定面
２３：咬合開始点
２４：軸部
２５：化粧板
２６：引っ掛け面
２７：ピニオンギア部
２８：回転止め部
２９：電極部
３，３ａ、３ｂ、３ｃ：壁掛け機器
３１：固定面
３２：受電部
３３：爪受け面
３４、３４ｂ：下側溝部
３６、３６ｂ：上側溝部
４：ストッパー
５：固定機構
６：壁
６ａ：開口部
６１ａ、６１ｂ：溝部
Ｓ：固定構造
【図１】
2006128361.tif 000003
【図２】
2006128361.tif 000004
【図３】
2006128361.tif 000005
【図４】
2006128361.tif 000006
【図５】
2006128361.tif 000007
【図６】
2006128361.tif 000008
【図７】
2006128361.tif 000009
【図８】
2006128361.tif 000010
【図９】
2006128361.tif 000011
【図１０】
2006128361.tif 000012
【図１１】
2006128361.tif 000013
【図１２】
2006128361.tif 000014
【図１３】
2006128361.tif 000015